(57)【特許請求の範囲】
【請求項１】
映像表示部の前方に偏光板が設けられ、この偏光板の前方には光学的主軸方向が前記偏光板の透過軸方向に対して所定角度であり位相差機能を有する右目用映像表示部ａと位相差機能を有しない左目用映像表示部ｂとが混在した３Ｄ映像表示部が設けられた３Ｄ映像表示体Ｓと、右目用映像表示部ａからの右目用映像を透過し左目用映像表示部ｂからの左目用映像を遮断する偏光板付右目用レンズ及び左目用映像表示部ｂからの左目用映像を透過し右目用映像表示部ａからの右目用映像を遮断する偏光板付左目用レンズで構成された偏光メガネＴとから成る３Ｄ映像表示装置であって、偏光板付左目用レンズの前方には前記右目用映像表示部ａの光学的主軸と直交する方向の光学的主軸を有し位相差機能を有する位相差機能部材が貼り合わされていることを特徴とする３Ｄ映像表示装置。
【請求項２】
映像表示部の前方に偏光板が設けられ、この偏光板の前方には位相差機能を有しない右目用映像表示部ａと光学的主軸方向が前記偏光板の透過軸方向に対して所定角度であり位相差機能を有する左目用映像表示部ｂとが混在した３Ｄ映像表示部が設けられた３Ｄ映像表示体Ｓと、右目用映像表示部ａからの右目用映像を透過し左目用映像表示部ｂからの左目用映像を遮断する偏光板付右目用レンズ及び左目用映像表示部ｂからの左目用映像を透過し右目用映像表示部ａからの右目用映像を遮断する偏光板付左目用レンズで構成された偏光メガネＴとから成る３Ｄ映像表示装置であって、偏光板付右目用レンズの前方には前記左目用映像表示部ｂの光学的主軸と直交する方向の光学的主軸を有し位相差機能を有する位相差機能部材が貼り合わされていることを特徴とする３Ｄ映像表示装置。
【請求項３】
請求項１に記載の３Ｄ映像表示装置において、位相差機能を有する右目用映像表示部ａ及び位相差機能部材として、夫々１／２波長板を採用したことを特徴とする３Ｄ映像表示体。
【請求項４】
請求項２記載の３Ｄ映像表示装置において、位相差機能を有する左目用映像表示部ｂ及び位相差機能部材として、夫々１／２波長板を採用したことを特徴とする３Ｄ映像表示装置。
【請求項５】
請求項１〜４いずれか１項に記載の３Ｄ映像表示装置において、偏光板として直線偏光板を採用したことを特徴とする３Ｄ映像表示装置。
【請求項６】
請求項１〜５いずれか１項に記載の３Ｄ映像表示装置において、３Ｄ映像表示部として所定巾の右目用映像表示部ａと所定巾の左目用映像表示部ｂとが交互に並設された３Ｄ映像表示部を採用したことを特徴とする３Ｄ映像表示装置。
【請求項７】
映像表示部の前方に偏光板が設けられ、この偏光板の前方には光学的主軸方向が前記偏光板の透過軸方向に対して所定角度であり位相差機能を有する右目用映像表示部ａと位相差機能を有しない左目用映像表示部ｂとが混在した３Ｄ映像表示部が設けられた３Ｄ映像表示体Ｓに組み合わせられる３Ｄ映像表示装置用の偏光メガネＴであって、右目用映像表示部ａからの右目用映像を透過し左目用映像表示部ｂからの左目用映像を遮断する偏光板付右目用レンズ及び左目用映像表示部ｂからの左目用映像を透過し右目用映像表示部ａからの右目用映像を遮断する偏光板付左目用レンズで構成され、左目用映像表示部ｂの前方には前記右目用映像表示部ａの光学的主軸と直交する方向の光学的主軸を有し位相差機能を有する位相差機能部材が貼り合わせられていることを特徴とする３Ｄ映像表示装置用の偏光メガネ。
【請求項８】
映像表示部の前方に偏光板が設けられ、この偏光板の前方には位相差機能を有しない右目用映像表示部ａと光学的主軸方向が前記偏光板の透過軸方向に対して所定角度であり位相差機能を有する左目用映像表示部ｂとが混在した３Ｄ映像表示部が設けられた３Ｄ映像表示体Ｓに組み合わせられる３Ｄ映像表示装置用の偏光メガネＴであって、右目用映像表示部ａからの右目用映像を透過し左目用映像表示部ｂからの左目用映像を遮断する偏光板付右目用レンズ及び左目用映像表示部ｂからの左目用映像を透過し右目用映像表示部ａからの右目用映像を遮断する偏光板付左目用レンズで構成され、右目用映像表示部ａの前方には前記左目用映像表示部ｂの光学的主軸と直交する方向の光学的主軸を有し位相差機能を有する位相差機能部材が貼り合わされていることを特徴とする３Ｄ映像表示装置用の偏光メガネ。
【発明の詳細な説明】
【０００１】
【発明の属する技術分野】
本発明は、３Ｄ映像を現出させる為の３Ｄ映像表示装置及び３Ｄ映像表示装置用の偏光メガネに関するものである。
【０００２】
【従来の技術及び発明が解決しようとする課題】
従来の３Ｄ映像表示装置は、図１に図示したように、映像表示部31の前方に透過軸方向が図示した矢印の直線偏光板32を設け、この直線偏光板32の前方に右目用映像を表示する右目用映像表示部ａ（光学的主軸方向が図示した矢印の１／２波長板）と左目用映像（右目用映像を構成する光の振動方向に対し９０゜直交する方向に振動する光により構成された映像）を表示する左目用映像表示部ｂ（例えば右目用映像表示部ａと同屈析率の適宜な透光樹脂）とが交互に並設された３Ｄ映像表示部33を設けた３Ｄ映像表示体と、観察者がかけるものであって、この右目用映像を透過し左目用映像を遮断する偏光板付右目用レンズ（透過軸方向は図示した矢印）と左目用映像を透過し右目用映像を遮断する偏光板付左目用レンズ34ｂ（透過軸方向は図示した矢印）で構成された偏光メガネとから成り、この偏光メガネを観察者がかけ、前記３Ｄ映像表示体33からの映像をみると、該映像は立体映像として認識されるものである。
【０００３】
ところで、上記３Ｄ映像表示装置においては、上述のように、右目用レンズ34ａにおいては、右目用映像のみが透過し左目用映像は遮断され、また、左目用レンズ34ｂにおいては、左目用映像のみが透過し右目用映像が遮断されることが理想であるが、実際は、右目用映像表示部ａから出射される右目用映像は、直線偏光板32の透過軸方向と直交する方向に振動を有する偏光になってはいるが、ほとんどが楕円偏光となっている為、左目用レンズ34ｂにおいて完全に遮断されず（このことを表現する為、図において左目用レンズ34ｂの「メガネを通してみた映像の「右」の部分を薄い黒で表示している。）、わずかに透過してクロストークが生じ（右目用レンズ34ａにおいては上記した理想状態）、これが原因で鮮明な立体映像が認識できず、観察者が認識する立体感が弱くなるという問題点がある。
【０００４】
本発明は、このような問題点を解決したもので、鮮明な立体映像を認識し得る３Ｄ映像表示装置及び３Ｄ映像表示装置用の偏光メガネを提供するものである。
【０００５】
【課題を解決するための手段】
添付図面を参照して本発明の要旨を説明する。
【０００６】
映像表示部１の前方に偏光板２が設けられ、この偏光板２の前方には光学的主軸方向が前記偏光板２の透過軸方向に対して所定角度であり位相差機能を有する右目用映像表示部ａと位相差機能を有しない左目用映像表示部ｂとが混在した３Ｄ映像表示部３が設けられた３Ｄ映像表示体Ｓと、右目用映像表示部ａからの右目用映像を透過し左目用映像表示部ｂからの左目用映像を遮断する偏光板付右目用レンズ４ａ及び左目用映像表示部ｂからの左目用映像を透過し右目用映像表示部ａからの右目用映像を遮断する偏光板付左目用レンズ４ｂで構成された偏光メガネＴとから成る３Ｄ映像表示装置であって、偏光板付左目用レンズ４ｂの前方には前記右目用映像表示部ａの光学的主軸と直交する方向の光学的主軸を有し位相差機能を有する位相差機能部材５が貼り合わされていることを特徴とする３Ｄ映像表示装置に係るものである。
【０００７】
また、映像表示部１の前方に偏光板２が設けられ、この偏光板２の前方には位相差機能を有しない右目用映像表示部ａと光学的主軸方向が前記偏光板２の透過軸方向に対して所定角度であり位相差機能を有する左目用映像表示部ｂとが混在した３Ｄ映像表示部３が設けられた３Ｄ映像表示体Ｓと、右目用映像表示部ａからの右目用映像を透過し左目用映像表示部ｂからの左目用映像を遮断する偏光板付右目用レンズ４ａ及び左目用映像表示部ｂからの左目用映像を透過し右目用映像表示部ａからの右目用映像を遮断する偏光板付左目用レンズ４ｂで構成された偏光メガネＴとから成る３Ｄ映像表示装置であって、偏光板付右目用レンズ４ａの前方には前記左目用映像表示部ｂの光学的主軸と直交する方向の光学的主軸を有し位相差機能を有する位相差機能部材５が貼り合わされていることを特徴とする３Ｄ映像表示装置に係るものである。
【０００８】
また、請求項１に記載の３Ｄ映像表示装置において、位相差機能を有する右目用映像表示部ａ及び位相差機能部材５として、夫々１／２波長板を採用したことを特徴とする３Ｄ映像表示体に係るものである。
【０００９】
また、請求項２記載の３Ｄ映像表示装置において、位相差機能を有する左目用映像表示部ｂ及び位相差機能部材５として、夫々１／２波長板を採用したことを特徴とする３Ｄ映像表示装置に係るものである。
【００１０】
また、請求項１〜４いずれか１項に記載の３Ｄ映像表示装置において、偏光板２として直線偏光板を採用したことを特徴とする３Ｄ映像表示装置に係るものである。
【００１１】
また、請求項１〜５いずれか１項に記載の３Ｄ映像表示装置において、３Ｄ映像表示部３として所定巾の右目用映像表示部ａと所定巾の左目用映像表示部ｂとが交互に並設された３Ｄ映像表示部３を採用したことを特徴とする３Ｄ映像表示装置に係るものである。
【００１２】
また、映像表示部１の前方に偏光板２が設けられ、この偏光板２の前方には光学的主軸方向が前記偏光板２の透過軸方向に対して所定角度であり位相差機能を有する右目用映像表示部ａと位相差機能を有しない左目用映像表示部ｂとが混在した３Ｄ映像表示部３が設けられた３Ｄ映像表示体Ｓに組み合わせられる３Ｄ映像表示装置用の偏光メガネＴであって、右目用映像表示部ａからの右目用映像を透過し左目用映像表示部ｂからの左目用映像を遮断する偏光板付右目用レンズ４ａ及び左目用映像表示部ｂからの左目用映像を透過し右目用映像表示部ａからの右目用映像を遮断する偏光板付左目用レンズ４ｂで構成され、左目用映像表示部ｂの前方には前記右目用映像表示部ａの光学的主軸と直交する方向の光学的主軸を有し位相差機能を有する位相差機能部材５が貼り合わせられていることを特徴とする３Ｄ映像表示装置用の偏光メガネに係るものである。
【００１３】
また、映像表示部１の前方に偏光板２が設けられ、この偏光板２の前方には位相差機能を有しない右目用映像表示部ａと光学的主軸方向が前記偏光板２の透過軸方向に対して所定角度であり位相差機能を有する左目用映像表示部ｂとが混在した３Ｄ映像表示部３が設けられた３Ｄ映像表示体Ｓに組み合わせられる３Ｄ映像表示装置用の偏光メガネＴであって、右目用映像表示部ａからの右目用映像を透過し左目用映像表示部ｂからの左目用映像を遮断する偏光板付右目用レンズ４ａ及び左目用映像表示部ｂからの左目用映像を透過し右目用映像表示部ａからの右目用映像を遮断する偏光板付左目用レンズ４ｂで構成され、右目用映像表示部ａの前方には前記左目用映像表示部ｂの光学的主軸と直交する方向の光学的主軸を有し位相差機能を有する位相差機能部材５が貼り合わされていることを特徴とする３Ｄ映像表示装置用の偏光メガネに係るものである。
【００１４】
【発明の作用及び効果】
図２に基づいて説明すると、右目用映像表示部ａからの右目用映像は偏光板２の透過軸方向と直交する方向に振動する楕円偏光となっており、また、左目用映像表示部ｂからの左目用映像は偏光板２の透過軸方向と同方向に振動する直線偏光となっている（図２中の＃参照）。
【００１５】
この右目用映像及び左目用映像は、右目用レンズ４ａにおいては右目用映像は透過し、左目用映像は完全に遮断される。しかし、左目用レンズ４ｂにおいては右目用映像は、位相差機能部材５を通過することにより偏光板２の透過軸方向と同じ方向に振動する直線偏光となるから完全に遮断され（図２中の♭参照）、左目用映像は位相差機能部材５を通過することにより偏光板２の透過軸方向と直交する方向に振動する楕円偏光となるから透過する（図２中の♭参照）。従って、左目用レンズ４ｂにおいては、従来の３Ｄ映像装置のようにクロストークが生じない。
【００１６】
本発明は上述のように構成したから、鮮明にして立体感の強い映像が得られる３Ｄ映像表示装置となる。
【００１７】
【発明の実施の態様】
図２は本発明の一実施例を図示したものであり、以下に詳述する。
【００１８】
本実施例は、映像表示部１の前方に偏光板２が設けられ、この偏光板２の前方には光学的主軸方向が前記偏光板２の透過軸方向に対して所定角度であり位相差機能を有する右目用映像表示部ａと位相差機能を有しない左目用映像表示部ｂとが混在した３Ｄ映像表示部３が設けられた３Ｄ映像表示体Ｓと、右目用映像表示部ａからの右目用映像を透過し左目用映像表示部ｂからの左目用映像を遮断する偏光板付右目用レンズ４ａ及び左目用映像表示部ｂからの左目用映像を透過し右目用映像表示部ａからの右目用映像を遮断する偏光板付左目用レンズ４ｂで構成された偏光メガネＴとから成る３Ｄ映像表示装置であって、偏光板付左目用レンズ４ｂの前方には前記右目用映像表示部ａの光学的主軸と直交する方向の光学的主軸を有し位相差機能を有する位相差機能部材５が貼り合わせられているものである。
【００１９】
１は映像表示部（ディスプレイ）であり、また、偏光板２は透過軸方向が図２に図示した矢印方向の直線偏光板であり、更に、３Ｄ映像表示部３は帯状の右目用映像表示部ａ、左目用映像表示部ｂが交互に並設されたものである。
【００２０】
この３Ｄ映像表示部３は、具体的には、位相差機能（特定の波長域の光の振動方向を回転し得る機能）を有し光学的主軸方向（延伸方向）が図２に図示した矢印方向の公知の１／２波長板（特定の波長域の光の振動方向を９０゜回転させる性質を有するものであり、この場合、前記偏光板２の透過軸に対して±４５゜（図２の場合は−４５゜の傾斜）に傾斜する光学的主軸を有する１／２波長板）を、例えば右目用映像表示部ａに設け、それ以外の部分にはこの１／２波長板を設けず、左目用映像表示部ｂとしたものである。従って、この右目用映像表示部ａから出射する右目用映像は、偏光板２の透過軸方向と直交する方向に振動する楕円偏光となり、また、この左目用映像表示部ｂから出射する左目用映像は、偏光板２の透過軸方向と同方向に振動する直線偏光となる（図２中の＃参照）。
【００２１】
また、図２の偏光メガネＴは、偏光板付左目用レンズ４ｂと偏光板付右目用レンズ４ａとから成り（両レンズの透過軸方向は図示したとおり、ともに偏光板２の透過軸方向と直交する方向）、更に、左目用レンズ４ｂにして３Ｄ映像表示体側には位相差機能部材５としての前記同様の１／２波長板（ただし、光学的主軸方向は図２に図示した矢印方向、即ち、右目用映像表示部ａに用いた１／２波長板と直交する方向）が貼り合わされている。
【００２２】
尚、右目用映像表示部ａに光学的主軸方向が図２において上下方向の１／２波長板を使用する場合（偏光板２の透過軸に対して＋４５゜傾斜の１／２波長板を使用する場合）、位相差機能部材５は光学的主軸方向が図２において、左右方向のものを採用する（この場合、偏光メガネＴの両レンズの透過軸方向は図２に図示した方向と同じ）。即ち、３Ｄ映像表示部３の１／２波長板と位相差機能部材５との光学的主軸方向は互いに直交するように設定する。
【００２３】
本実施例に係る３Ｄ映像表示装置においては、右目用レンズ４ａにおいては、右目用映像表示部ａから出射する右目用映像はそのまま右目用レンズ４ａを透過し、左目用映像表示部ｂから出射する左目用映像はそのまま右目用レンズ４ａにおいて完全遮断され理想状態となる。
【００２４】
また、左目用レンズ４ｂにおいては、右目用映像表示部ａから出射する右目用映像は１／２波長板を透過して左目用レンズ４ｂに入射する。この１／２波長板を透過すると右目用映像は楕円偏光から直線偏光板２の振動方向と同じ方向に振動する直線偏光となる為（図２中の♭参照）、左目用レンズ４ｂにおいて完全に遮断され（図２においては、図１と異なり、この「完全な遮断」を表現する為、「メガネを通して見た映像」の「右」の部分をまっ黒に表示している。）、また左目用映像表示部ｂから出射する左目用映像も１／２波長板を透過して左目用レンズ４ｂに入射する。この１／２波長板を透過すると左目用映像は直線偏光板２の振動方向と直交する方向に振動する楕円偏光となる為（図２中の♭参照）、左目用レンズ４ｂを透過する。
【００２５】
従って、本実施例においては、クロストークが防止され、鮮明な立体映像が認識でき、立体感が弱まることはない。
【００２６】
尚、ディスプレイからはコンピュータ等の制御装置により右目用映像及び左目用映像が発信されるように構成されている。
【００２７】
図２は右目用映像表示部ａに１／２波長板を採用した場合であるが、左目用映像表示部ｂに１／２波長板を採用してもよく、この場合には左目用レンズ４ｂではなく、右目用レンズ４ａに１／２波長板を貼り合わせる。尚、この場合も左目用レンズ４ｂ及び右目用レンズ４ａの透過軸方向はともに、図２の場合と同じ方向である。
【００２８】
３Ｄ映像表示部３の具体例について説明する。
【００２９】
本実施例の３Ｄ映像表示部３は、複屈析性を有しない透明な支持材（例えば厚さ１ｍｍ程度のガラス板やセルロースアセテートブチレート（ＣＡＢ）板等）上に接着剤（例えば紫外線硬化性樹脂）を介して可視光領域において位相差機能を有する部材（１／２波長板。例えば、ポリカーボネートフィルム若しくはポリビニルアルコールフィルムなど）を貼り合わせ、この位相差機能を有する部材の所定部分を超硬刃（ノコ刃）等により切削除去して該部材に一側から他側に延設される複数の平行な凹溝を並設形成し、この凹溝を適宜な合成樹脂、例えば無色透明にして前記位相差機能を有する部材と屈折率が略同一の紫外線硬化型樹脂により埋めたものである。
【００３０】
また、凹溝の巾及び凹溝同志のピッチは、組み合わせられるディスプレイの右目用映像を発信する部分及び左目用映像を発信する部分のピッチ（画素ピッチ）に対応している。
【００３１】
従って、この３Ｄ映像表示部３は、前記紫外線硬化型樹脂を埋めた部分が、通過する映像の偏光の振動方向を回転させない部位、また、残余の部分が、通過する映像の偏光の振動方向を９０°回転させる部位となる。
【００３２】
本実施例は上述のように構成したから、１／２波長板により、左目用レンズ４ｂにおいて右目用映像が完全に遮断され、従って、観察者が二重像の生じない高品位の立体画像を認識し得ることになる実用性に秀れた３Ｄ映像表示装置となる。
【００３３】
実際に、複数の観察者に本実施例に係る３Ｄ映像表示装置と、図１の従来例とを見せた場合、全員が本実施例に係る３Ｄ映像表示装置の方が立体感が強い旨の評価をした。
【図面の簡単な説明】
【図１】従来からある３Ｄ映像表示装置の説明図である。
【図２】本実施例の３Ｄ映像表示装置の説明図である。
【符号の説明】
１  映像表示部
２  偏光板
３  ３Ｄ映像表示部
４ａ  右目用レンズ
４ｂ  左目用レンズ
５  位相差機能部材
ａ  右目用映像表示部
ｂ  左目用映像表示部
Ｓ  ３Ｄ映像表示体
Ｔ  偏光メガネ
【図１】
0003796414.tif 000002
【図２】
0003796414.tif 000003